(57)【要約】【課題】短時間に施工可能であり、建物を傷つけることなく且つ新設による開口幅の狭まりを抑えることが可能なシャッターレールを提供する。【解決手段】建物の開口に設けられスラットをガイドする溝部を有する既存シャッターレールの前記溝部に入り込み、前記既存シャッターレールを覆って新たな溝部を形成する。【選択図】図２
2007285004.tif 000002
【特許請求の範囲】
【請求項１】
建物の開口に設けられスラットをガイドする溝部を有する既存シャッターレールの前記溝部に入り込み、前記既存シャッターレールを覆って新たな溝部を形成することを特徴とする新設用シャッターレール。
【請求項２】
建物の開口に設けられスラットをガイドする溝部を有する既存シャッターレールの前記溝部における前記建物の内側の側面を覆う内側サイドカバーと、前記溝部における前記建物の外側の側面を覆う外側サイドカバーとを有し、前記溝部の内側に新たな溝部を形成することを特徴とする新設用シャッターレール。
【発明の詳細な説明】
【技術分野】
【０００１】
本発明は、既存シャッターレールを改装するための新設用シャッターレールに関する。
【背景技術】
【０００２】
従来、既に設けられているシャッターレールの位置に、新設されるシャッターレールとしては、下記のような２つの方法にて新設されるシャッターレールが知られている。１つ目は、既存シャッターレールの周囲をはつって既存シャッターレールを取り外した後に取り付けられ、周囲が補修されるシャッターレールである。２つ目は、既存シャッターレールの溝部を覆う部材で塞いだ後に、その上に新設されるシャッターレールである（例えば、特許文献１参照）。
【特許文献１】特開昭５８―１６４８８５号公報
【発明の開示】
【発明が解決しようとする課題】
【０００３】
上記のようなシャッターレールは、既存シャッターレールを取り外す際に、建物をはつるため、作業に時間が長くなると共に、建物を傷つけるため雨漏り等が発生する畏れがある。一方、既存シャッターレール上にシャッターレールを新設する場合には、既存シャッターレールより建物開口の内側に新たなシャッターレールが設けられるため、建物の開口が狭くなるという課題があった。
【０００４】
本発明の目的は、短時間に施工可能であり、建物を傷つけることなく且つ新設による開口幅の狭まりを抑えることが可能な新設用シャッターレールを提供することにある。
【課題を解決するための手段】
【０００５】
かかる目的を達成するために本発明の新設用シャッターレールは、建物の開口に設けられスラットをガイドする溝部を有する既存シャッターレールの前記溝部に入り込み、前記既存シャッターレールを覆って新たな溝部を形成することを特徴とする。
【０００６】
このような新設用シャッターレールによれば、新設用シャッターレールが既存シャッターレールの溝部に入り込んで新たな溝部を形成するので、新設用シャッターレールの全体が建物の開口の内側に突出しない。このため、既存シャッターレールにて形成されていた左右のシャッターレール間の間隔とほぼ同等の間隔を残しつつ、シャッターレールを新設することが可能である。
【０００７】
また、新設用シャッターレールは既存シャッターレールを覆うので、外部に既存シャッターレールが露出しない。このため、既存シャッターレールを残したままであっても建物の美観を高めることが可能である。
【０００８】
さらに、新設用シャッターレールは、既存シャッターレールを撤去しないため、既存シャッターレールの周囲をはつったり、固定用金物を切断したりといった作業を必要としない。このため、簡単な作業により短時間にて新たなシャッターレールを新設することが可能である。
【０００９】
また、建物の開口に設けられスラットをガイドする溝部を有する既存シャッターレールの前記溝部における前記建物の内側の側面を覆う内側サイドカバーと、前記溝部における前記建物の外側の側面を覆う外側サイドカバーとを有し、前記溝部の内側に新たな溝部を形成することを特徴とする新設用シャッターレールである。
【００１０】
このような新設用シャッターレールによれば、内側サイドカバーにて溝部における建物の内側の側面が覆われ、外側サイドカバーにて溝部における建物の外側の側面が覆われるので、既存シャッターレールの溝部における側面は外部に露出しない。このため、既存シャッターレールを残したままであっても建物の美観を高めることが可能である。
【００１１】
また、新設用シャッターレールは、既存シャッターレールを撤去することなく取り付けられるため、既存シャッターレールの周囲をはつったり、固定用金物を切断したりといった作業を必要としない。また、新設用シャッターレールを設置する際にもモルタルを充填する必要がないため、簡単な作業により短時間にて新たなシャッターレールを新設することが可能である。
【００１２】
さらに、新設用シャッターレールは、内側サイドカバーと外側サイドカバーとに２分割された構成となっているので、既存シャッターレールの溝幅に合わせて新設用シャッターレールの溝幅を設定することが可能である。このため、既存シャッターレールの溝の内側の側面に内側サイドカバーを、また、外側の側面に外側サイドカバーを接触させることにより新設用シャッターレールの溝幅を可及的に広くすることが可能である。また、新設用シャッターレールの溝幅が可変なので、汎用性が高くコストを低減させることが可能である。
【発明の効果】
【００１３】
本発明の新設用シャッターレールによれば、短時間に施工可能であり、建物を傷つけることなく且つ新設による開口幅の狭まりを抑えることが可能である。
【発明を実施するための最良の形態】
【００１４】
以下、本発明の一実施形態としての新設用シャッターレールについて図面に基づいて説明する。
【００１５】
図１は、新設用シャッターレールの構成を示す横断面図である。図２は、図１の拡大図である。図１においては、建物の内側から見た際に左右となる方向を左右方向として示す。また、図２では、開口の左側に設けられた新設用シャッターレールのみを示しているが、開口の左右にそれぞれ設けられるシャッターレールは、対称となるように形成されているため、右側のシャッターレールについては省略している。
【００１６】
本実施形態の新設用シャッターレール１０は、建物１の開口１ａに設けられた既存シャッターレール３を覆うように取り付けられる。
【００１７】
本発明に係る新設用シャッターレール１０の構成を説明する前に、まず既存シャッターレール３について説明する。
【００１８】
図１に示すように、既存シャッターレール３は、上下方向に移動するスラット５をガイドする溝部３ａを有し、断面がほぼコ字状に形成された棒状の部材である。既存シャッターレール３の断面においてコ字状の開放された側の両端部からは溝部３ａの外側に向かって延出されて、建物１の壁仕上材７と既存シャッターレール３との境界部を覆う覆部３ｂがそれぞれ設けられている。
【００１９】
建物１の躯体１ｂには、開口１ａの内側に向かう左右の面１ｃにそれぞれ、対向するように上下方向に沿って凹部１ｄが設けられている。この凹部１ｄは、既存シャッターレール３の外形よりも十分に大きく形成されている。
【００２０】
そして、既存シャッターレール３は、凹部１ｄと連通するように壁仕上材７に設けたれたスリット７ａにコ字状の部位が入り込み、覆部３ｂがスリット７ａの縁部を覆うように取り付けられている。このとき、既存シャッターレール３の躯体１ｂ側には固定金物９が設けられて凹部１ｄに入り込んでおり、凹部１ｄに充填されたモルタル８にて既存シャッターレール３が固設されている。
【００２１】
また、図示していないが開口１ａの上部には、スラット５の巻き上げ機構と、巻き上げ機構と巻き上げたスラット５の収納部が設けられている。
【００２２】
新設用シャッターレール１０は、既存シャッターレール３の溝部３ａに入り込み溝部３ａの建物内側の側面３ｃを覆う内側壁部１２ａと溝部３ａの底３ｄに当接される内底板部１２ｂとを有する内側サイドカバー１２、及び、既存シャッターレール３の溝部３ａに入り込み溝部３ａの建物外側の側面３ｅを覆う外側壁部１３ａと内底板部１２ｂに当接される外底板部１３ｂとを有する外側サイドカバー１３を有している。
【００２３】
内側サイドカバー１２は、内側壁部１２ａと内底板部１２ｂとがほぼ直交するように一枚の板材が折り曲げられて形成されている。また、内側壁部１２ａの、内底板部１２ｂとは反対側の端部は、建物内側に向かって延出されており、内側サイドカバー１２が既存シャッターレール３に取り付けられた際に、既存シャッターレール３の覆部３ｂを、建物１の壁仕上材７とにて囲む覆部カバー１２ｃが形成されている。
【００２４】
外側サイドカバー１３は、外側壁部１３ａと外底板部１３ｂとがほぼ直交するように一枚の板材が折り曲げられて形成されている。また、外側壁部１３ａの、外底板部１３ｂとは反対側の端部は、建物外側に向かって延出されており、外側サイドカバー１３が既存シャッターレール３に取り付けられた際に、既存シャッターレール３の覆部３ｂを、建物１の壁仕上材７とにて囲む覆部カバー１３ｃが形成されている。
【００２５】
内側サイドカバー１２の内底板部１２ｂと外側サイドカバー１３の外底板部１３ｂとには、内側サイドカバー１２と外側サイドカバー１３とが既存シャッターレール３を覆うように配置された際に、上下方向の同じ位置になるように水平方向に沿って長穴が設けられている。この長穴を貫通したねじ１１により内側サイドカバー１２と外側サイドカバー１３とが既存シャッターレール３に固定される。既存シャッターレール３に内側サイドカバー１２と外側サイドカバー１３とが固定されることにより、溝部３ａの内側に新たな溝部１０ａが形成される。
【００２６】
そして、新設用シャッターレール１０に沿って昇降されるスラット６は、新設用シャッターレール１０の溝幅に応じて、既存のスラット５より厚みを薄くすることが望ましい。
【００２７】
このような新設用シッターレール１０によれば、既存シャッターレール３の溝部３ａに入り込んで新たな溝部１０ａを形成するので、新設用シャッターレール１０の全体が建物１の開口１ａの内側に突出することはない。このため、既存シャッターレール３にて形成されていた左右のシャッターレール３、３間の間隔とほぼ同等の間隔を残しつつ、シャッターレール１０を新設することが可能である。
【００２８】
また、既存シャッターレール３は内側サイドカバー１２にて溝部３ａにおける建物１の内側の側面３ｃが覆われ、外側サイドカバー１３にて溝部３ａにおける建物１の外側の側面３ｅが覆われるので、既存シャッターレール３の溝部３ａにおける側面３ｃ、３ｅは外部に露出しない。このため、既存シャッターレール３の錆や汚れが新設シャッターレール１０にて隠されるので、既存シャッターレール３を残したままであっても建物１の美観を高めることが可能である。
【００２９】
そして、新設用シャッターレール１０は、既存シャッターレール３を撤去しないため、既存シャッターレール３の周囲をはつったり、固定用金物９を切断したりといった作業を必要としない。このため施工における建物使用者及び近隣への影響を抑えることが可能であり、また、建物１を傷つけないため雨漏れ等が発生する畏れもない。さらに、新設用シャッターレール１０を設置する際にもモルタルを充填する必要がないため、簡単な作業により短時間にて新たなシャッターレール１０を備えることが可能である。
【００３０】
そして、新設用シャッターレール１０は、内側サイドカバー１２と外側サイドカバー１３とが２分割される構成としたので、既存シャッターレール３の溝３ａ幅に合わせて新設用シャッターレール１０の溝幅を設定することが可能である。このため、既存シャッターレール３の溝３ａの内側の側面３ｃに内側サイドカバー１２を、また、外側の側面３ｅに外側サイドカバー１３を接触させることにより新設用シャッターレール１０の溝幅を可及的に広くすることが可能である。また、新設用シャッターレール１０の溝幅が可変なので、汎用性が高くコストを低減させることが可能である。
【００３１】
上記実施形態においては、内側サイドカバー１２の内底板部１２ｂが外側サイドカバー１３の外底板部１３ｂより既存シャッターレール３側に位置するように構成した例について説明したが、外側サイドカバー１３の外底板部１３ｂが内側サイドカバー１２の内底板部１２ｂより既存シャッターレール３側に配置されるように構成しても良い。
【図面の簡単な説明】
【００３２】
【図１】新設用シャッターレールの構成を示す横断面図である。
【図２】図１の拡大図である。
【符号の説明】
【００３３】
１  建物、１ａ  開口、１ｂ  躯体、１ｃ  左右の面、１ｄ  凹部、
３  既存シャッターレール、３ａ  溝部、３ｂ  覆部、３ｃ  建物内側の側面、
３ｄ  溝部の底、３ｅ  建物外側の側面、５  既存のスラット、６  スラット、
７壁仕上材、７ａ  スリット、８  モルタル、９  固定金物、
１０  新設用シャッターレール、１１  ねじ、１０ａ新たな溝部、
１２  内側サイドカバー、１２ａ  内側壁部、１２ｂ  内底板部、１２ｃ  覆部カバー、１３  外側サイドカバー、１３ａ  外側壁部、１３ｂ  外底板部、１３ｃ  覆部カバー
【図１】
2007285004.tif 000003
【図２】
2007285004.tif 000004